(57)【要約】【課題】階段部分に水平方向に開閉するシャッターを設ける。【解決手段】水平方向に開閉するシャッターと、前記シャッターが通過可能な隙間が形成された階段と、前記階段に設けられ前記シャッターが通過可能な隙間が形成された手摺本体と前記手摺本体の隙間を閉じる可動部材とを有する手摺と、前記可動部材の一端部と前記手摺本体とを前記可動部材が前記手摺本体に対して回転可能に連結する連結部材と、前記可動部材の他端部と前記手摺本体とを連結解除可能に連結する連結装置と、を備える建築物である。【選択図】図１
2014169614.tif 000002
【特許請求の範囲】
【請求項１】
水平方向に開閉するシャッターと、
前記シャッターが通過可能な隙間が形成された階段と、
前記階段に設けられ、前記シャッターが通過可能な隙間が形成された手摺本体と、前記手摺本体の隙間を閉じる可動部材と、を有する手摺と、
前記可動部材の一端部と前記手摺本体とを、前記可動部材が前記手摺本体に対して回転可能に連結する連結部材と、
前記可動部材の他端部と前記手摺本体とを、連結解除可能に連結する連結装置と、
を備える建築物。
【請求項２】
前記シャッターは防火機能及び防煙機能の少なくとも一方の機能を有し、
火災が検知されると、自動的に前記シャッターが閉まると共に、前記連結装置による前記可動部材の他端部と前記手摺本体との連結が自動的に解除される、
請求項１に記載の建築物。
【請求項３】
前記階段は竪穴部に設けられ、前記シャッターが閉じられることで、前記竪穴部が上下に仕切られる、
請求項１に記載の建築物。
【請求項４】
前記階段は竪穴部に設けられ、前記シャッターが閉じられることで、前記竪穴部が上下に仕切られる、
請求項２に記載の建築物。
【発明の詳細な説明】
【技術分野】
【０００１】
本発明は、建築物に関する。
【背景技術】
【０００２】
建築物の階段には人の落下を防ぐために手摺が設けられている。そして、手摺の連結構造に関して、種々の技術が開示されている。
【０００３】
例えば、特許文献１には、建物の内部に設けられる手すりの端面どうしを接合する手すりの接合構造に関する技術が開示されている。この先行技術では、柔軟性を有する収縮性接続具の両端部から手すりの端面それぞれを挿入し、前記接続具の収縮力を利用して手すりどうしを接続し、連続手すりを形成するようにしている。
【０００４】
また、特許文献２には、手すり材の端部どうしを連結する構造に関する技術が開示されている。この先行技術では、リング受け部材は、その中央部に雄ねじ部が凸設され、雄ねじ部の凸設面の周縁をリング当接部とし、第２手すり材と対向するように、第１手すり材の端面に皿ビスによって固定されている。一方、上記雄ねじ部と螺合する雌ねじを刻設し、内鍔部を備えた連結リング体が第２手すり材の端部に回動自在に遊嵌され、この連結リング体は、第２手すり材の端面に固定された、その外径よりもやや大きい外径を有する抜け止め部材によって抜け止めされている。
【０００５】
また、防犯上や防災上等の理由から、建築物にシャッターが設けられることがある。
【０００６】
例えば、特許文献３には、通常の開閉操作をするための操作具を、無線式の遠隔操作具と遠隔操作具からの信号を受信して開閉機の制御部に入力せしめる受信部とを用いて構成する一方、前記受信部と非常閉鎖用スイッチとを一つの操作ユニットに設け、該操作ユニットを、シャッターカーテンの左右両側部を移動案内するガイドレールに設ける技術が開示されている。
【０００７】
ここで、垂直方向に開閉するシャッターを建築物内の階段周りに設ける場合、シャッターレール等のシャッター関連部材が見えやすく、意匠性を損なわせる原因となることが多い。
【０００８】
また、意匠性を考慮して階段を横切るように水平方向に開閉するシャッターを設けようとすると、連続していることが要件である手摺にシャッターが引っ掛かるという問題が生じる。
【先行技術文献】
【特許文献】
【０００９】
【特許文献１】特開２００５−４２３５２号公報
【特許文献２】特開２００４−２１８３５８号公報
【特許文献３】特開２０１１−８４９５４号公報
【発明の概要】
【発明が解決しようとする課題】
【００１０】
本発明は、上記事実を考慮し、階段部分に水平方向に開閉するシャッターを設けることが課題である。
【課題を解決するための手段】
【００１１】
本発明の第一態様の建築物は、水平方向に開閉するシャッターと、前記シャッターが通過可能な隙間が形成された階段と、前記階段に設けられ、前記シャッターが通過可能な隙間が形成された手摺本体と、前記手摺本体の隙間を閉じる可動部材と、を有する手摺と、前記可動部材の一端部と前記手摺本体とを、前記可動部材が前記手摺本体に対して回転可能に連結する連結部材と、前記可動部材の他端部と前記手摺本体とを、連結解除可能に連結する連結装置と、を備える。
【００１２】
第一態様の建築物では、シャッターが閉じていない状態（開放された状態）では、手摺本体の隙間は可動部材で塞がれており、連続していることが要件である手摺としての機能を果たしている。
【００１３】
一方、シャッターを閉じる際には、連結装置による可動部材の他端部と手摺本体との連結が解除されることで、可動部材の一端部が手摺本体に対して回転し手摺本体に隙間があく。そして、シャッターが階段の隙間と手摺の隙間とを通過して閉まる。
【００１４】
このように連続していることが要件とされる手摺に隙間をあけることで、シャッターを水平方向に開閉することができる。つまり、階段を横切るように水平方向に開閉するシャッターを設けることができる。
【００１５】
本発明の第二態様の建築物は、前記シャッターは防火機能及び防煙機能の少なくとも一方の機能を有し、火災が検知されると、自動的に前記シャッターが閉まると共に、前記連結装置による前記可動部材の他端部と前記手摺本体との連結が自動的に解除される。
【００１６】
第二態様の建築物では、火災が検知されると、手摺の可動部材の他端部と手摺本体との連結が自動的に解除されると共に、防火機能及び防煙機能の少なくとも一方の機能を有するシャッターが閉まって階段を上下方向に仕切ることで、階段の上下方向の火炎及び煙の少なくとも一方の侵入が防止又は抑制される。
【００１７】
本発明の第三態様又は第四態様の建築物は、前記階段は竪穴部に設けられ、前記シャッターが閉じられることで、前記竪穴部が上下に仕切られる。
【００１８】
第三態様又は第四態様の建築物では、シャッターによって竪穴部が上下方向に仕切られる。よって、竪穴部の上下方向の空気の流れや火炎及び煙の少なくとも一方の侵入が抑制又は防止される。また、階段を使っての移動ができなくなるので防犯上有効である。
【発明の効果】
【００１９】
本発明によれば、階段部分に水平方向に開閉するシャッターを設けることができる。
【図面の簡単な説明】
【００２０】
【図１】本発明の一実施形態に係る建築物の竪穴部の立面図である。
【図２】図１の二階と三階とを繋ぐ階段部分を拡大した立面図である。
【図３】図１に示す竪穴部の要部の平面図である。
【図４】シャッター装置を示す図３の４−４線に沿った縦断面図である。
【図５】シャッター装置を示す図３の５−５線に沿った縦断面図である。
【図６】手摺の隙間が開いた状態の二階と三階とを繋ぐ階段の斜視図である。
【図７】隙間が可動部材で閉じられた状態の手摺の縦断面図である。
【図８】可動部材の連結が解除され隙間が開いた状態の手摺の縦断面図である。
【図９】防火システムのブロック図である。
【図１０】変形例の手摺の隙間が可動部材で閉じられた状態の縦断面図である。
【図１１】変形例の手摺の隙間が開いた状態の縦断面図である。
【図１２】変形例の手摺の可動部材をシャッターが押し上げた状態の縦断面図である。
【図１３】左右のシャッターの間に柱がある場合の構造の一例を示すシャッターが閉じる前の状態を模式的に示す平面図である。
【図１４】図１３のシャッターが閉まった状態を模式的に示す平面図である。
【発明を実施するための形態】
【００２１】
以下、本発明の一実施形態に係る建築物を、図面を参照しながら説明する。なお、各図において、水平方向における直交する２方向をＸ方向及びＹ方向とし、鉛直方向をＺ方向とする。また、断面図であっても図が煩雑なるのを避けるために、断面を示す斜線を省略している場合がある（断面を示す斜線は図示してない場合がある）。
【００２２】
＜建築物の全体構造＞
まず、建築物１０の全体構造について説明する。
【００２３】
図１に示すように、建築物１０は４階建てとされ、建築物１０の内部には、鉛直方向（Ｚ方向）に吹き抜ける竪穴部（吹抜部）１２が設けられている。なお、符号２１、２２、２３、２４は各階の床版（床スラブ）を示している。
【００２４】
図１と図３とに示すように、竪穴部１２には、各階を繋ぐ階段５０、５５が設けられている。なお、後述するように、二階（床版２２）と三階（床版２３）とを繋ぐ階段５５（図２参照）には、隙間２００（及び手摺７７の隙間２０８）（図２参照）が形成されているが、他の階段には形成されていない。しかし階段５０と階段５５は、隙間２００（及び隙間２０８）の有無以外の基本的な構成はほぼ同じであるので、建築物１０の全体構成を説明する際には、区別しないで説明する。
【００２５】
また、建築物１０には、竪穴部１２に設けられた階段５０、５５とは別に、図示していない非常階段が設けられている。
【００２６】
図１、図３、図６等に示すように、階段５０、５５は、途中に踊り場５２があり、踊り場５２で１８０°折り返された折返階段となっている。
【００２７】
階段５０、５５は、階段本体６０と側壁部５４とを有している。階段本体６０は、踏面部６２と、この踏面部６２の端部から上方に立ち上がる蹴上部６４と、を有している。
【００２８】
側壁部５４は、階段本体６０の横方向の端部から立ち上がり、上端部５４Ａは階段本体６０の傾斜角度と平行になるように設定されている。そして、側壁部５４に手摺７０、７７が取り付けられている。なお、手摺７０、７７は、長手方向に間隔をあけて設けられた取付部材７２によって側壁部５４に取り付けられている。
【００２９】
＜シャッター装置＞
つぎに、建築物１０に設けられた防火機能及び防煙機能の両方の機能を有するシャッター装置１００（防火防煙シャッター）について説明する。
【００３０】
図５に示すように、三階の床版２３の下側の階段室２５には、水平方向に開閉する巻取式のシャッター装置１００が設置されている。なお、シャッター装置１００は、竪穴部１２を挟んでＸ方向の両側にそれぞれ設けられている。また、これら二つのシャッター装置１００は、後述するシャッター１１０の開閉方向が逆方向である以外は先端部を除き同様の構成であるので、先端部以外は区別しないで説明する。
【００３１】
シャッター装置１００は、巻取装置部１５０、シャッター１１０、及びシャッターレール１０２（図４も参照）を含んで構成されている。
【００３２】
シャッターレール１０２は、竪穴部１２の壁面にＸ方向に沿って設けられている。シャッターレール１０２は溝形状とされ、シャッター１１０の幅方向（Ｙ方向）の端部が挿入されている。そして、シャッターレール１０２に沿ってシャッター１１１０がＸ方向に移動するようになっている。
【００３３】
シャッター１１０は、Ｙ方向を長手方向として配置され且つＸ方向に並んで配置された複数のスラット１２０で構成されている。そして、各スラット１２０の長辺が管状に丸められ、互いに係合し合うことで、回転可能に連結されている。なお、各スラット１２０の材料は、シャッター１１０が防火シャッターとして機能することが可能な防火機能が確保されていれば、特に限定されない。
【００３４】
また、一方（図の左側）のシャッター１１０の先端部には、先端側が開口側として配置された断面横Ｕ字形状の先端部材１２１が設けられている。また、他方（図の右側）のシャッター１１０の先端部には、板状の先端部材１２３が設けられている。
【００３５】
巻取装置部１５０は、ドラム状の巻取部１５２と駆動部１５４とを含んで構成されている。ドラム状の巻取部１５２は、シャッター１１０を巻き取っていると共に、駆動部１５４によって回転するように構成されている。
【００３６】
巻取装置部１５０のドラム状の巻取部１５２が巻取方向と反対方向に回転することで、シャッターレール１０２に沿って、シャッター１１０が押し出される。そして、Ｘ方向両側からシャッター１１０が押し出されることでシャッター１１０が閉まり、竪穴部１２がシャッター１１０によって二階（床版２２）と三階（床版２３）との間で上下に仕切られる。
【００３７】
また、左右のシャッター１１０が閉じられると、他方（図の右側）のシャッター１１０の先端部材１２３が、一方（図の左側）のシャッター１１０の断面横Ｕ字形状の先端部材１２１に挿入される。そして、このように他方のシャッター１１０の先端部材１２３と一方のシャッター１１０の先端部材１２１が上下方向に重なることで、上下方向の火炎及び煙の侵入を防止又は抑制する構造になっている。
【００３８】
なお、シャッター装置１００には、シャッター１１０が自動的に閉鎖しても、間に人が挟まることを防止する図示してない危険防止装置が備えられている。
【００３９】
＜二階と三階とを繋ぐ階段の構造＞
つぎに二階と三階とを繋ぐ階段５５の構造について説明する。
【００４０】
図１及び図２に示すように、二階（床版２２）と三階（床版２３）とを繋ぐ階段５５には、シャッター装置１００のシャッター１１０（図５参照）が通過するための隙間２００が形成されている。具体的には、階段５５の階段本体６０には隙間２０２が形成され、側壁部５４には隙間２０４が形成されている。
【００４１】
別の観点から説明すると、二階と三階とを繋ぐ階段５５は、上側階段９２と下側階段９４とに分割された構造となっている。そして、上側階段９２は、上端部９２Ａが三階の床版２３に接合され、下端部９２Ｂが自由端となった片持ち構造となっている。一方、下側階段９４は、図１に示すように下端部９４Ｂが二階の床版２２に接合され、図１及び図２に示すように上端部９４Ａが自由端となった片持ち構造となっている。
【００４２】
図２及び図６に示すように、二階と三階とを繋ぐ階段５５の手摺７７は、シャッター装置１００のシャッター１１０（図５参照）が通過する隙間２０８が形成された手摺本体３００と、手摺本体３００の隙間２０８を閉じる可動部材３５０と、を有している。
【００４３】
そして、図２、図６、図７、図８に示すように、手摺本体３００と可動部材３５０とが連結されることで、隙間２０８が閉じられ（塞がれ）、手摺本体３００と可動部材３５０とが一体化されている。
【００４４】
なお、手摺本体３００における隙間２０８の上側を上側本体３０２とし、この上側本体３０２の下端部を上側本体端部３０２Ａとする。また、手摺本体３００における隙間２０８の下側を下側本体３０４とし、この下側本体３０４の上端部を下側本体端部３０４Ａとする。
【００４５】
また、側面視において、可動部材３５０の上端部３５０Ａの端面は水平とされ、この上端部３５０Ａの端面と対向する手摺本体３００の上側本体端部３０２Ａの端面も水平となっている。
【００４６】
図７及び図８に示すように、可動部材３５０の下端部３５０Ｂは、手摺本体３００の下側本体端部３０４Ａと連結部材の一例としての蝶番３６０によって連結されている。これにより、可動部材３５０は、手摺本体３００の下側本体３０４に対してＸ方向を回転軸方向として回転可能に手摺本体３００の下側本体端部３０４Ａに連結されている。
【００４７】
一方、可動部材３５０の上端部３５０Ａは、手摺本体３００の上側本体３０２の上側本体端部３０２Ａに連結装置３７０によって連結されている。
【００４８】
連結装置３７０は、手摺本体３００の上側本体端部３０２Ａに設けられ可動ピン３７４が伸縮するソレノイド３７２と、可動部材３５０の上端部２５０Ａ内に設けられ可動ピン３７４が挿入可能な筒部３５２と、を有している。
【００４９】
図７に示すように、ソレノイド３７２の可動ピン３７４が伸長して突出した状態では、可動ピン３７４が可動部材３５０の筒部３５２に挿入されている。そして、可動ピン３７４が筒部３５２に挿入されることで可動部材３５０の回転が阻止され、可動部材３５０の上端部３５０Ａと手摺本体３００の上側本体端部３０２Ａとが連結された状態となる。つまり、手摺本体３００の隙間２０８を可動部材３５０が閉じた状態となる。
【００５０】
しかし、図８に示すように、ソレノイド３７２の可動ピン３７４が収縮して引っ込んだ状態では、可動ピン３７４が可動部材３５０の筒部３５２から外れ、可動部材３５０の上端部３５０Ａ側が重力で下側に向かって回転し、手摺本体３００の隙間２０８があいた状態となる（図６も参照）。
【００５１】
なお、可動部材３５０を元の位置に戻し、引っ込んだソレノイド３７２の可動ピン３７４を伸長させて可動部材３５０の筒部３５２に挿入することで、可動部材３５０と手摺本体３００とが連結された図７の状態に戻すことができる。
【００５２】
＜防火システム＞
つぎに、建築物１０の防火システムについて説明する。
【００５３】
図９に示すように、建築物１０には防火システム３０が備えられている。防火システム３０は、煙検知器１４、火災報知器１６、シャッター装置１００、及び連結装置３７０（のソレノイド３７２）を含んで構成されている。
【００５４】
煙検知器１４と火災報知器１６とが電気的に接続されていると共に、火災報知器１６にシャッター装置１００（図５参照）と連結装置３７０のソレノイド３７２（図７及び図８参照）とが電気的に接続されている。
【００５５】
建築物１０に火災が発生すると、火災によって発生する煙を煙検知器１４が検知する。煙検知器１４が火災によって発生する煙を検知すると、火災報知器１６が作動し火災の発生を音や光で報知する。そして、火災報知器１６が作動すると、連動してシャッター装置１００とソレノイド３７２（連結装置３７０）とが作動するようになっている。
【００５６】
＜作用及び効果＞
つぎに本実施形態の作用及び効果について説明する。
【００５７】
前述したように、図９に示す煙検知器１４が火災によって発生する煙を検知すると、火災報知器１６が作動し、火災の発生を音や光で報知する。そして、火災報知器１６が作動すると、連動してシャッター装置１００とソレノイド３７２（連結装置３７０）とが作動する。
【００５８】
すなわち、図８に示すように、連結装置３７０のソレノイド３７２の可動ピン３７４が収縮して引っ込んで可動ピン３７４が可動部材３５０の筒部３５２から外れ、可動部材３５０の上端部３５０Ａ側が重力で下側に向かって回転する。これにより、図６及び図８に示すように、手摺７７に隙間２０８があいた状態となる。
【００５９】
また、図４及び図５に示すように、シャッター装置１００が作動しシャッター１１０が閉じられる。このとき、シャッター１１０は、階段５５の隙間２００（隙間２０２及び隙間２０４）と手摺７７の隙間２０８とを通過する。
【００６０】
このように、建築物１０に火災が発生すると、可動部材３５０の上端部３５０Ａと手摺本体３００の上側本体端部３０２Ａとの連結が自動的に解除されると共に、防火機能を有するシャッター１１０が自動的に閉まり竪穴部１２が上下方向に仕切れられる。そして、シャッター１１０によって竪穴部１２が上下方向に仕切きられることで、竪穴部１２の上下方向の火炎及び煙の侵入が防止又は抑制される。
【００６１】
なお、シャッター１１０が閉じていない状態（開放された状態）では、図７に示すように、手摺本体３００の隙間２０８は可動部材３５０で閉じられており（塞がれており）、連続していることが要件である手摺としての機能を果たしている。
【００６２】
しかし、前述したように、火災が発生しシャッター１１０が閉じられる際には、連結装置３７０による可動部材３５０の上端部３５０Ａと手摺本体端部３０４Ａとの連結が解除されることで、可動部材３５０が回転し手摺本体３００に隙間２０８があく。そして、シャッターが階段５５の隙間２００と手摺７７の隙間２０８とを通過して閉まる。
【００６３】
このように連続していることが要件とされる手摺７７に隙間２０８をあけることで、階段５０を横切るように水平方向に開閉するシャッター１１０を設けて、竪穴部１２を上下に仕切ることができる。
【００６４】
ここで、仮に垂直方向に開閉するシャッターを用いる場合、階段５０、５５と各階の床版（床スラブ）２１、２２、２３、２４との境界部分にシャッターレール等のシャッター関連部材が設けられ、意匠性を損なうことがあった。
【００６５】
しかし、本実施形態のように階段５５を横切るように水平方向にシャッター１１０で開閉する構成とすることで、垂直方向に開閉するシャッターを設ける場合と比較し、階段周りにシャッターレール等のシャッター関連部材なくなり、階段周りを開放的な空間とすることができ、この結果、意匠性が向上する。
【００６６】
また、仮に垂直方向に開閉するシャッターを用いる場合は、階段５０、５５と各階の床版（床スラブ）２１、２２、２３、２４との境界部分にそれぞれシャッターが必要であり（各階毎に４枚のシャッターが必要であり）、合計で１２枚の垂直シャッターが必要となる。しかし、本実施形態のように、水平方向に開閉するシャッター１１０で竪穴部１２を上下に仕切る構成とすることで、シャッターの枚数が削減され、この結果、建築コストが削減される。
【００６７】
＜変形例＞
上記実施形態では、図７及び図８に示すように、可動部材３５０の下端部３５０Ｂが手摺本体３００の下側本体端部３０４Ａと蝶番３６０によって連結され、可動部材３５０の上端部３５０Ａが手摺本体３００の上側本体端部３０２Ａと連結装置３７０によって連結されていたが、これに限定されるものではない。
【００６８】
図１０〜図１２に示す変形例の手摺７９のように、可動部材３５０の下端部３５０Ｂが手摺本体３００の下側本体端部３０４Ａと連結装置３７０によって連結され、可動部材３５０の上端部３５０Ａが手摺本体３００の上側本体端部３０２Ａと蝶番３６０によって連結されていてもよい。
【００６９】
また、側面視において、可動部材３５０の下端部３５０Ｂは垂直とされ、下端部３５０Ｂと対向する手摺本体３００の下側本体端部３０４Ａの端面も垂直となっている。
【００７０】
なお、この変形例の手摺７９の場合は、図１１に示すように、ソレノイド３７２の可動ピン３７４が収縮して引っ込んだ状態となると、可動ピン３７４が可動部材３５０の筒部３５２から外れ、可動部材３５０の下端部３５０Ｂ側が重力で下側に向かって回転し、手摺７９に隙間２０８があいた状態となる。
【００７１】
そして、図１２に示すように、Ｙ方向に開閉するシャッター１１０とし、シャッター１１０が閉じる際に可動部材３５０を押し上げることで、シャッター１１０が手摺本体３００の隙間２０８を通過する。
【００７２】
なお、可動ピン３７４が可動部材３５０の筒部３５２から外れ連結が解除されると、自動的に可動部材３５０が図１２の状態となるように、バネ等によって可動部材３５０が押し上がる構造としてもよい。
【００７３】
また、図示は省略するが他の変形例として、回転軸を鉛直方向とし、可動部材３５０が水平方向に回転する構成であってもよい。この他の変形例の場合、可動部材３５０の端部と手摺本体３００との連結が解除されると、バネ等によって自動的に可動部材３５０が水平方向に回転するようにしてもよい。
【００７４】
つぎに、左右のシャッター１１０の間に柱３１がある場合の構造の一例ついて説明する。
【００７５】
図１３及び図１４に示すように、左右のシャッター１１０の間に設けられた二本の柱３１には、シャッター１１０に対応する位置に、柱３１が貫通する板状の取付部材５０２が固定されている。また、取付部材６０２のＹ方向の両側部には、Ｙ方向外側を開口側として配置された断面横Ｕ字形状のガイド部材６０４が取り付けられている。
【００７６】
一方（図の左側）のシャッター１１０の先端部には、先端側が開口側として配置された断面横Ｕ字形状の先端部材６１０が、Ｙ方向に間隔をあけて設けられている。また、他方（図の右側）のシャッター１１０の先端部には、板状の先端部材６１２が、Ｙ方向に間隔をあけて設けられている。
【００７７】
そして、図１４に示すように、左右のシャッター１１０が閉じられると、先端部材６１０、６１２の側部６１０Ｂ，６１２Ｂが断面横Ｕ字形状のガイド部材６０４内に挿入する。また、他方のシャッター１１０の先端部材６１２の端部６１２Ａが、一方のシャッター１１０の断面横Ｕ字形状の先端部材６１０の端部６１０Ａ内に挿入する。
【００７８】
つまり、左右のシャッター１１０の先端部材６１０、６１２の側部６１０Ｂ，６１２Ｂとガイド部材６０４とが上下方向に重なると共に、他方のシャッター１１０の先端部材６１２の端部６１２Ａと一方のシャッター１１０の先端部材６１０の端部６１０Ａとが上下方向に重なることで、上下方向の火炎及び煙の侵入を防止又は抑制する構造になっている。
【００７９】
＜その他＞
尚、本発明は上記実施形態に限定されない。
【００８０】
例えば、上記実施形態では、蝶番３６０で可動部材３５０を手摺本体３００に対して回転可能に連結していたが、これに限定されるものではない。例えば、インテグラルヒンジのような柔軟性を有する薄肉の樹脂部材で可動部材３５０を手摺本体３００に対して回転可能に連結してもよい。要は可動部材３５０を手摺本体３００に対して回転可能に連結することが可能な部材であればよい。
【００８１】
また、例えば、上実施形態では、図９に示すように、火災報知器１６の作動に連動して、シャッター装置１００とソレノイド３７２（連結装置３７０）とが作動したが、これに限定されるものではない。
【００８２】
例えば、ソレノイド３７２（連結装置３７０）は、シャッター装置１００と電気的に接続され、シャッター１１０の作動に連動してソレノイド３７２（連結装置３７０）が作動するようにしてもよい。
【００８３】
また、例えば、上記実施形態では、可動部材３５０と手摺本体３００とを連結解除可能に連結する連結装置３７０は、ソレノイド３７２の可動ピン３７４が収縮することで連結が解除される構造であったが、これに限定されるものではない。例えば、手摺本体３００に設けられたフック部材が可動部材３５０の孔部に引っ掛けられることで連結され、フック部材が回転することで孔部から抜け出て連結が解除される構成であってもよい。要は可動部材３５０と手摺本体３００とを連結解除可能に連結する装置であればよい。
【００８４】
また、例えば、上記実施形態では、火災の検知は、煙検知器１４を用いた煙感知式であったが、これに限定されるものではない。例えば、熱感知器を用いた熱感知式で火災を検知してもよい。
【００８５】
また、例えば、上記実施形態では、防火機能及び防煙機能の両方の機能を有するシャッター装置１００であり、また、シャッター１１０が水平方向に開閉する巻取式のシャッター装置１００であったが、これに限定されるものではない。
【００８６】
シャッター装置は、防火機能及び防煙機能の少なくとも一方の機能を有し、火炎及び煙の少なくとも一方の侵入を防止又は抑制すればよい。更に、防火機能及び防煙機能のいずれの機能も有しない（或いはこれらを主目的としない）、例えば、防犯や空調を主目的とするシャッター装置であってもよい。なお、竪穴部１２を上下方向に仕切ることで、階段５０、５５を使っての移動ができなくなるので防犯上有効である。
【００８７】
また、巻取式以外の水平方向に開閉するシャッター装置であってもよい。
【００８８】
また、例えば、上記実施形態では、二階（床版２２）と三階（床版２３）とを繋ぐ階段５５及び手摺７７に隙間２００、２０８を形成し、シャッター１１０が階段を横切るように構成されていたが、これに限定されるものではない。他の階を繋ぐ階段５０（例えば、三階と四階とを繋ぐ階段５０）及び手摺７０に隙間２００、２０８を形成してシャッター１１０が階段５０を横切るように構成してもよい。更に、シャッター装置１００を複数階に設けてもよい。
【００８９】
また、例えば、上記実施形態では、建築物１０の鉛直方向に吹き向ける竪穴部１２に設けられた階段５５に本発明を適用したが、これに限定されるものではない。他の場所に設けられた階段に本発明を適用してもよい。
【００９０】
更に、本発明の要旨を逸脱しない範囲において、種々なる態様で実施し得ることは言うまでもない。
【符号の説明】
【００９１】
１０      建築物
１２      竪穴部
５５      階段
６０      階段本体
７０      手摺
７７      手摺
７９      手摺
１１０      シャッター
２００      隙間
２０２      隙間
２０４      隙間
２０８      隙間
３００      手摺本体
３５０      可動部材
３６０      蝶番（連結部材の一例）
３７０      連結装置
【図１】
2014169614.tif 000003
【図２】
2014169614.tif 000004
【図３】
2014169614.tif 000005
【図４】
2014169614.tif 000006
【図５】
2014169614.tif 000007
【図６】
2014169614.tif 000008
【図７】
2014169614.tif 000009
【図８】
2014169614.tif 000010
【図９】
2014169614.tif 000011
【図１０】
2014169614.tif 000012
【図１１】
2014169614.tif 000013
【図１２】
2014169614.tif 000014
【図１３】
2014169614.tif 000015
【図１４】
2014169614.tif 000016